(57)【要約】【課題】洋上風力発電と漁業とが協調できる漁業協調型の洋上ウィンドファームを提供する。【解決手段】洋上ウィンドファームＦは、互いに離間する複数の洋上風力発電設備１と、複数の洋上風力発電設備１で包囲された内側領域２と、を備え、複数の洋上風力発電設備１は、内側領域２が漁場となるように平面視で環状に配置されていることを特徴とする。洋上ウィンドファームＦは、内側領域２における魚介類を監視する魚介類監視装置３と、内側領域２における海中又は海上の自然環境情報を取得する自然環境情報取得手段４と、洋上風力発電設備１にそれぞれ設けられ魚介類に給餌する給餌装置５と、を備える。【選択図】図１
2019104419.tif 000002
【特許請求の範囲】
【請求項１】
互いに離間する複数の洋上風力発電設備と、
複数の前記洋上風力発電設備で包囲された内側領域と、を備え、
複数の洋上風力発電設備は、前記内側領域が漁場となるように平面視で環状に配置されていることを特徴とする洋上ウィンドファーム。
【請求項２】
前記内側領域における魚介類を監視する魚介類監視装置を備えることを特徴とする請求項１に記載の洋上ウィンドファーム。
【請求項３】
前記内側領域における海中又は海上の自然環境情報を取得する自然環境情報取得手段を備えることを特徴とする請求項１又は請求項２に記載の洋上ウィンドファーム。
【請求項４】
前記洋上風力発電設備に設けられ、魚介類に給餌する給餌装置を備えることを特徴とする請求項１乃至請求項３のいずれか一項に記載の洋上ウィンドファーム。
【請求項５】
前記内側領域における魚介類を監視する魚介類監視装置と、
前記内側領域における海中又は海上の自然環境情報を取得する自然環境情報取得手段と、
複数の前記洋上風力発電設備にそれぞれ設けられ、魚介類に給餌する給餌装置と、
複数の前記給餌装置の中から給餌する前記給餌装置を決定する管理装置と、を備え、
前記管理装置は、前記内側領域に魚介類を集めるために、前記魚介類監視装置により取得した魚介類情報と、前記自然環境情報取得手段により取得した自然環境情報とに基づいて、給餌する前記給餌装置を決定することを特徴とする請求項１に記載の洋上ウィンドファーム。
【請求項６】
前記自然環境情報取得手段は少なくとも潮流計を備え、
前記管理装置は、前記魚介類監視装置により取得した魚介類の位置情報と、前記潮流計により取得した潮流情報とに基づいて、魚介類に対して潮流の上流側に位置する前記給餌装置を、給餌する前記給餌装置として決定することを特徴とする請求項５に記載の洋上ウィンドファーム。
【請求項７】
前記管理装置は、陸上に設置されており、遠隔操作により前記給餌装置を制御することを特徴とする請求項５又は請求項６に記載の洋上ウィンドファーム。
【発明の詳細な説明】
【技術分野】
【０００１】
本発明は、洋上ウィンドファームに関する。
【背景技術】
【０００２】
近年、洋上ウィンドファームの建設が進められている。当該洋上ウィンドファームとしては、複数の洋上風力発電設備を千鳥状に配置したものが知られている（例えば特許文献１）。
【０００３】
図８は、従来の浮体式の洋上ウィンドファームを示す概略平面図である。図８に示すように、従来の洋上ウィンドファーム１００は、設置海域で最も頻繁に現れる風向きＤと垂直な方向に沿って洋上風力発電設備１１０を千鳥状に配置し、風上の洋上風力発電設備１１０による風下の洋上風力発電設備１１０への影響を抑制するというものである。洋上風力発電設備１１０は、浮体１３０と、浮体１３０から海中へ向けて延びる複数本の係留索１４０と、各係留索１４０の先端に取り付けられたアンカー１５０と、浮体１３０から海底へ向けて延びて風力発電により得られた電力を陸上に送電する送電線（図示略）と、を主に備えている。
【先行技術文献】
【特許文献】
【０００４】
【特許文献１】特表２０１１−５２１８２０号公報
【発明の概要】
【発明が解決しようとする課題】
【０００５】
しかし、洋上風力発電設備１１０を千鳥状に配置する場合には、洋上ウィンドファーム１００の内側領域１２０が狭小になり、例えば底引き網漁や巻き網漁等の漁網が海底や海中に設置した係留索１４０や送電線に引っ掛かるため、漁網を展開できない。そのため、洋上風力発電設備１１０が漁業の妨げになるという問題がある。
【０００６】
そこで、本発明の課題は、洋上風力発電と漁業とが協調できる漁業協調型の洋上ウィンドファームを提供することである。
【課題を解決するための手段】
【０００７】
本発明に係る洋上ウィンドファームは、互いに離間する複数の洋上風力発電設備と、複数の前記洋上風力発電設備で包囲された内側領域と、を備え、複数の洋上風力発電設備は、前記内側領域が漁場となるように平面視で環状に配置されていることを特徴とする。
【０００８】
本発明によれば、複数の洋上風力発電設備を平面視で環状に配置するため、従来の千鳥状に配置する場合に比べ、洋上ウィンドファームの内側領域を広く確保することが可能となる。これにより、複数の洋上風力発電設備で包囲された内側領域を漁場として、底引き網漁や巻き網漁等の漁網の展開、養殖生産施設における魚介類の養殖等の漁業を行うことができるため、洋上風力発電と漁業とが協調できる。
【０００９】
また、前記洋上ウィンドファームは、前記内側領域における魚介類を監視する魚介類監視装置を備えることが好ましい。このようにすると、内側領域における魚介類の存在、魚介類の位置、魚介類の活性状態、魚介類の種類、魚介類の個体数、魚体寸法等の魚介類情報を把握することができる。
【００１０】
また、前記洋上ウィンドファームは、前記内側領域における海中又は海上の自然環境情報を取得する自然環境情報取得手段を備えることが好ましい。このようにすると、内側領域における海中又は海上の自然環境情報を把握することができる。
【００１１】
また、前記洋上ウィンドファームは、前記洋上風力発電設備に設けられ、魚介類に給餌する給餌装置を備えることが好ましい。このようにすると、内側領域に魚介類を集めることができる。
【００１２】
また、前記洋上ウィンドファームは、前記内側領域における魚介類を監視する魚介類監視装置と、前記内側領域における海中又は海上の自然環境情報を取得する自然環境情報取得手段と、複数の前記洋上風力発電設備にそれぞれ設けられ、魚介類に給餌する給餌装置と、複数の前記給餌装置の中から給餌する前記給餌装置を決定する管理装置と、を備え、前記管理装置は、前記内側領域に魚介類を集めるために、前記魚介類監視装置により取得した魚介類情報と、前記自然環境情報取得手段により取得した自然環境情報とに基づいて、給餌する前記給餌装置を決定することが好ましい。このようにすると、魚介類情報及び自然環境情報に基づきどの給餌装置を使用すると効果的、効率的かを判断し、給餌の量を最小限にできる。
【００１３】
前記自然環境情報取得手段は少なくとも潮流計を備え、前記管理装置は、前記魚介類監視装置により取得した魚介類の位置情報と、前記潮流計により取得した潮流情報とに基づいて、魚介類に対して潮流の上流側に位置する前記給餌装置を、給餌する前記給餌装置として決定することが好ましい。このようにすると、潮流を加味することで、無駄な給餌を抑えつつより効率よく給餌することができる。
【００１４】
また、前記管理装置は、陸上に設置されており、遠隔操作により前記給餌装置を制御することが好ましい。このようにすると、暴風時でも洋上ウィンドファームの内側領域に給餌することができ、洋上ウィンドファームの内側領域に魚介類を滞留できる。また、洋上風力発電設備に設けられた生け簀で魚介類の養殖を行う際、冬季日本海のように長期にわたり人的給餌が不可能な場合でも魚介類の死滅を防止できる。
【発明の効果】
【００１５】
本発明によれば、洋上風力発電と漁業とが協調できる。
【図面の簡単な説明】
【００１６】
【図１】本発明の一実施形態である洋上ウィンドファームを示す概略平面図である。
【図２】本発明の実施形態に係る洋上風力発電設備を示す一部破断斜視図である。
【図３】浮体が浮いている状態を示す説明図である。
【図４】浮体が図３の状態より沈んでいる状態を示す説明図である。
【図５】図４のＶ−Ｖ断面図である。
【図６】本発明の一実施形態である洋上ウィンドファームの機能ブロック図である。
【図７】本発明の変形例に係る洋上風力発電設備を示す一部破断斜視図である。
【図８】従来の浮体式の洋上ウィンドファームを示す概略平面図である。
【発明を実施するための形態】
【００１７】
以下、本発明の一実施形態について説明する。図１に示すように、洋上ウィンドファームＦは、互いに離間する複数の洋上風力発電設備１と、複数の洋上風力発電設備１で包囲された内側領域２と、を備えている。
【００１８】
複数の洋上風力発電設備１は、内側領域２が漁場となるように平面視で円環状に配置されている。言い換えると、複数の洋上風力発電設備１は、同一円周上に等角度離隔して配置されており、全ての洋上風力発電設備１の中心を結んだ仮想線Ｌは、平面視で円環状を呈する。洋上風力発電設備１の配置角度や基数は特に制限されないが、本実施形態では３６度間隔で１０基配置されている。隣り合う洋上風力発電設備１，１同士の間隔は、例えば、１．５ｋｍに設定されている。洋上ウィンドファームＦの仮想円の円周は、例えば、１５ｋｍであり、洋上ウィンドファームＦの仮想円の直径は、例えば、約４．８ｋｍである。内側領域２は、魚介類の捕獲や養殖等の漁業を行うことができる領域である。すなわち、内側領域２は、底引き網漁や巻き網漁等の漁網の展開、養殖生産施設における魚介類の養殖等の漁業が可能な広い面積を有する。内側領域２は、平面視で円形状を呈する。
【００１９】
図２に示すように、洋上風力発電設備１は、浮体１ａと、洋上風車１ｂと、を備えている。洋上風車１ｂは、本実施形態では水平軸風車であって、タワー７０、ナセル８０、ブレード９０等を含んで構成されている。タワー７０の高さは、例えば、約７０〜１００ｍである。また、ナセル８０の重量は、例えば、約１００〜４００ｔである。また、ブレード９０の長さは、例えば、約４０〜８０ｍである。
【００２０】
浮体１ａは、洋上風車１ｂを上載する構造物であって、図３に示すように浮上させたり、図４に示すように図３の状態より沈めたりして利用することができる。浮体１ａは、図２に示すように、浮体本体１０と、バラスト機構２０と、係留設備３０と、支持部材４０と、網状部材５０と、生け簀６０と、を主に備えている。
【００２１】
浮体本体１０は、セミサブ型の金属製の浮体であって浮体１ａの基体となる部分である。浮体本体１０は、センターカラム１１と、複数のサイドカラム１２と、連結部材１３とを含んで構成されている。
【００２２】
センターカラム１１は、浮体本体１０の中央部に配置され、上下方向に延在する円筒状の部材である。センターカラム１１の下端には、拡径した大径部１１ａが形成されている。洋上風車１ｂは、本実施形態ではセンターカラム１１上に設置されている。
【００２３】
サイドカラム１２は、互いに離間していて、センターカラム１１の周囲を取り囲むように配置された円筒状の部材である。サイドカラム１２の数は特に制限されないが、本実施形態では三つ配置されている。また、サイドカラム１２の大きさも適宜設定すればよいが、例えば、直径５〜１０ｍで形成されている。三つのサイドカラム１２は、センターカラム１１を中心とする円の周方向に等間隔で配置されている。三つのサイドカラム１２の中心を結んだ仮想線は、平面視で正三角形状を呈する。サイドカラム１２の配置は、適宜変更してよい。図示は省略するが、サイドカラム１２には、着船用設備が付設されている。着船用設備を備えることにより、人力による生け簀６０内の養殖管理が可能になる。
【００２４】
サイドカラム１２の下端には、拡径した大径部１２ａが形成されている。サイドカラム１２の径は、センターカラム１１の径よりも大きくなっている。サイドカラム１２の高さは、センターカラム１１の高さと同等である。センターカラム１１及びサイドカラム１２の高さは、例えば、約３０ｍに設定されている。隣り合うサイドカラム１２，１２同士の間隔は、例えば、約６０ｍに設定されている。
【００２５】
連結部材１３は、センターカラム１１と各サイドカラム１２とを相互に連結する部材である。連結部材１３は、３つの上側連結部材１３ａと、３つの下側連結部材１３ｂと、３つのブレース材１３ｃとを含んで構成されている。各部材１３ａ，１３ｂ，１３ｃは、センターカラム１１と一のサイドカラム１２との間に一本ずつ配置されている。上側連結部材１３ａは、センターカラム１１とサイドカラム１２の上端外周面同士を水平に連結している。下側連結部材１３ｂは、センターカラム１１とサイドカラム１２の下端外周面同士（大径部１１ａ，１２ａ同士）を水平に連結している。ブレース材１３ｃは、上側連結部材１３ａと下側連結部材１３ｂとの間において、センターカラム１１の上端外周面とサイドカラム１２の下端外周面とを斜めに連結している。
【００２６】
バラスト機構２０は、浮体本体１０の喫水や姿勢を調整する機構である。バラスト機構２０は、バラストタンク２１、バラスト制御盤２２等を含んで構成されている。
【００２７】
バラストタンク２１は、サイドカラム１２内において下方に設置されており、バラスト水（例えば海水）を貯留できる。図示は省略するが、サイドカラム１２は、海水の注水口と排水口とを備えている。バラストタンク２１は、バラスト配管、バラストポンプ、バラスト弁等を介して注水口と排水口とにそれぞれ連通している。
【００２８】
バラスト制御盤２２は、バラストポンプの作動やバラスト弁の開閉等を制御し、バラストタンク２１内の水量を制御するものである。バラスト制御盤２２は、サイドカラム１２内においてバラストタンク２１の上方に設置されている。
【００２９】
浮体１ａは、各サイドカラム１２のバラストタンク２１内の水量を個別に調整することにより、浮体本体１０の喫水や姿勢を制御できるようになっている。具体的には、浮体１ａは、図３に示すように各バラストタンク２１内のバラスト水を所定量排水して浮体本体１０を浮かせることができる。一方、浮体１ａは、図４に示すように各バラストタンク２１内にバラスト水を所定量注水して浮体本体１０を図３の状態より沈めることが可能である。
【００３０】
係留設備３０は、洋上における浮体本体１０の位置を保持するための設備である。係留設備３０は、係留索３１と、海底係留材３２（図３、図４参照）と、を含んで構成されている。
【００３１】
係留索３１は、各サイドカラム１２から海中へ向けて斜めに張った状態で延び、さらに海底Ｓに到達したところから海底係留材３２のあるアンカー点まで海底面上に沿って延びている。係留索３１の数は特に制限されないが、本実施形態では各サイドカラム１２に二本ずつ設置されている。係留索３１の一端は、サイドカラム１２の上端外周面に設置されたストッパ１２ｂに連結されている。係留索３１は特に制限されないが、本実施形態ではチェーンを使用している。係留索３１は、例えば、ロープ等でもよい。
【００３２】
海底係留材３２は、係留索３１の他端に取り付けられており、浮体本体１０を海面上に位置保持するものである。海底係留材３２は特に制限されないが、本実施形態ではアンカーを使用している。海底係留材３２は、例えば、シンカー、パイル等でもよい。
【００３３】
支持部材４０は、図２に示すように、各サイドカラム１２の外周面に二つずつ設置されており、網状部材５０を支持する部材である。支持部材４０は、サイドカラム１２の高さ方向に沿って延設されており、平面視で略コの字形状を呈する。支持部材４０には、上方及び側方に開口した支持溝４１が形成されている。支持溝４１は、支持部材４０の幅方向の中央部に開口したスリット状の開口部と、この開口部よりも溝幅が広く形成された中空部と、を含んで構成されている。隣り合うサイドカラム１２，１２の支持部材４０，４０は、開口部同士が対向するように平行に設置されている。
【００３４】
網状部材５０は、隣り合うサイドカラム１２，１２同士を繋ぐように設置された部材である。網状部材５０は特に制限されないが、例えば、金網や化繊網等である。網状部材５０は、底網部５１と、三つの側網部５２と、を含んで構成されている。
【００３５】
底網部５１は、生け簀６０の底部を構成する部位である。底網部５１は、図２及び図５に示すように、三つのサイドカラム１２の下端外周面を繋ぐように設置されており、平面視で三角形状を呈する。底網部５１の中央部には、センターカラム１１を通すための円形状の貫通孔５１ａが形成されている。底網部５１は、本実施形態では三つの下側連結部材１３ｂと四つの大径部１１ａ，１２ａ上に跨って設置されている。底網部５１は、下側連結部材１３ｂや大径部１１ａ，１２ａに図示せぬ固定手段で連結されている。
【００３６】
側網部５２は、生け簀６０の側部を構成する部位である。側網部５２は、隣り合うサイドカラム１２，１２同士の外周面を繋ぐように設置されており、側面視で横長矩形状を呈する。側網部５２の下端は、底網部５１の周縁に当接するとともに図示せぬ固定手段で連結されている。側網部５２の両側端は、支持部材４０の支持溝４１内に挿脱可能に支持されている。側網部５２の板厚寸法は、支持溝４１の開口部の幅寸法と略同等になっている。側網部５２は、支持部材４０を介して、サイドカラム１２に対して着脱可能に構成されている。側網部５２の着脱作業は、支持溝４１の上方開口を通じて行う。図示は省略するが、サイドカラム１２に設置したクレーン等の揚重設備によって、側網部５２の着脱作業を行うとよい。
【００３７】
生け簀６０は、複数のサイドカラム１２と網状部材５０とに包囲されて形成されており、魚介類を養殖（飼育）するための設備である。生け簀６０のサイドカラム包囲部は、浮体本体１０のデッドスペース（三つのサイドカラム１２によって囲まれた内側スペース）を利用して形成されている。生け簀６０は、上方に開口した有底三角筒状を呈する。生け簀６０の三角形の一辺は、隣り合うサイドカラム１２，１２同士の間隔と略同じ寸法（例えば約６０ｍ）である。生け簀６０は、浮体本体１０の喫水調整（浮き沈み）に応じて上下動する。図示は省略するが、生け簀６０の上方開口を天網部で覆ってもよい。また、生け簀６０内の魚介類を捕獲する際には、サイドカラム１２に設置した揚重設備に取り付けた魚網を使用してもよい。
【００３８】
なお、ウィンチ等の漁獲装置を洋上風力発電設備１に搭載してもよい。漁獲装置に必要となる電力は、洋上風車１ｂや陸上の発電施設から供給すればよい。
【００３９】
上記の実施形態では、溝状の支持部材４０を用いたが、円環状の支持部材を用いて着脱自在としてもよい。この場合には、側網部５２に付設されたフック状の掛止部材を支持部材の被掛止部に掛止する。また、複数の支持部材をサイドカラム１２の高さ方向に沿って設置すると側網部５２の安定性が高まるので好ましい。また、紐状の支持部材を用いてもよい。この場合には、側網部５２の網目に支持部材を通してサイドカラム１２に括りつける。これらの支持部材を二つ以上併用してもよい。また、網状部材５０を電動又は手動により上下方向に移動可能に構成してもよい。
【００４０】
また、上記の実施形態では、生け簀６０を備えた浮体１ａを使用したが、生け簀６０を備えない構成としてもよい。この場合、支持部材４０と網状部材５０を省略して、部品数を削減することができる。
【００４１】
図６は、本発明の一実施形態である洋上ウィンドファームＦの機能ブロック図である。図６に示すように、洋上ウィンドファームＦは、各洋上風力発電設備１にそれぞれ設置された制御ユニットＸと、陸上に設置された管理装置７とを主に含んで構成されている。本実施形態では、洋上風力発電設備１を１０基配置しているため、制御ユニットＸも１０機備えている。制御ユニットＸを個別に説明するときは、制御ユニットＸ１，Ｘ２・・・，Ｘ１０とそれぞれ表記する（図１も参照）。制御ユニットＸ１〜Ｘ１０と管理装置７とは、有線又は無線により電気的に接続されている。各制御ユニットＸは同じ構成であるため、制御ユニットＸ１について説明する。
【００４２】
制御ユニットＸ（Ｘ１）は、図６に示すように、魚介類監視装置３と、自然環境情報取得手段４と、給餌装置５と、制御装置６とを主に備えている。
【００４３】
魚介類監視装置３は、内側領域２及び生け簀６０内における魚介類を監視し、魚介類情報を取得するための装置である。魚介類監視装置３は特に制限されないが、例えば、水中カメラ、魚群探知機等である。魚介類情報としては、例えば、内側領域２及び生け簀６０内における魚介類の存在、魚介類の位置、魚介類の活性状態、魚介類の種類、魚介類の個体数、魚体寸法等が挙げられる。魚介類監視装置３は、浮体本体１０又はその周囲において海中又は海上に位置するように設置されている。魚介類監視装置３は、有線又は無線により、制御装置６に電気的に接続されている。取得された魚介類情報は、制御装置６に送信されるようになっている。魚介類監視装置３による魚介類情報の取得は、２４時間連続又は時間間隔を空けて行われてもよいし、作業者の任意のタイミングで行われてもよい。魚介類監視装置３は、監視可能範囲を広げるために、複数設置してもよいし、移動可能（旋回可能）にしてもよい。
【００４４】
自然環境情報取得手段４は、内側領域２及び生け簀６０内における海中又は海上の自然環境情報を取得するための手段である。自然環境情報取得手段４は特に制限されないが、例えば、潮流計、風向計、波向計、風速計、水温計、水質計、水深計、波高計、酸素濃度計等である。自然環境情報としては、例えば、内側領域２及び生け簀６０内における潮流、風向、波向、風速、水温、水質、水深、波高、酸素濃度等が挙げられる。自然環境情報取得手段４は、浮体本体１０又はその周囲において海中又は海上に位置するように設置されている。自然環境情報取得手段４は、有線又は無線により、制御装置６に電気的に接続されている。取得された自然環境情報は、制御装置６に送信されるようになっている。自然環境情報取得手段４による自然環境情報の取得は、２４時間連続又は時間間隔を空けて行われてもよいし、作業者の任意のタイミングで行われてもよい。
【００４５】
給餌装置５は、各洋上風力発電設備１に設置されており、内側領域２及び生け簀６０内の魚介類に給餌するための装置である。給餌装置５は、図示は省略するが、筐体、注入口、排出口、弁、基板等を含んで構成されている。給餌装置５は、有線又は無線により、制御装置６に電気的に接続されている。給餌装置５は、後記する管理装置７から給餌開始信号及び給餌時間信号を受信して所定時間の給餌を行うように構成されている。給餌装置５の設置位置や数は特に制限されないが、図２に示すように本実施形態では各サイドカラム１２の下端側外周面に一つずつ設置され、センターカラム１１に一つ設置されている。サイドカラム１２の給餌装置５は、内側領域２の魚介類に給餌し、センターカラム１１の給餌装置５は、生け簀６０内の魚介類に給餌する。給餌装置５は、本実施形態では海中に設置したが、海上に設置してもよい。
【００４６】
制御装置６は、送信部６ａと、受信部６ｂと、制御部６ｃと、入力部６ｄと、記憶部６ｅと、表示部６ｆとを備えたコンピュータで構成されている。制御装置６は、各洋上風力発電設備１に設置されている。制御装置６は、有線又は無線により、管理装置７に電気的に接続されている。制御装置６、魚介類監視装置３、自然環境情報取得手段４、給餌装置５に必要となる電力は、洋上風車１ｂや陸上の発電施設から供給すればよい。
【００４７】
送信部６ａは、魚介類情報及び自然環境情報等の情報データをその制御ユニットＸ（ここでは制御ユニットＸ１）と関連付けて管理装置７へ送信する機能を有する。受信部６ｂは、管理装置７から送信されてきた給餌開始信号及び給餌時間信号等を受信する機能を有する。受信した給餌開始信号及び給餌時間信号は、制御部６ｃに送られるようになっている。
【００４８】
制御部６ｃは、受信部６ｂから送られてきた給餌開始信号及び給餌時間信号等に基づいて、給餌装置５の制御を行う機能を有する。制御部６ｃは、給餌開始信号及び給餌時間信号等を受信した場合には、所定時間の給餌を行うように給餌装置５を制御する。
【００４９】
入力部６ｄは、キーボードやマウス等を含んで構成されている。記憶部６ｅは、魚介類情報及び自然環境情報等をその制御ユニットＸ（ここでは制御ユニットＸ１）と関連付けて記憶する機能を有する。表示部６ｆは、ディスプレイ装置を含んで構成されている。表示部６ｆは、その制御ユニットＸの魚介類情報及び自然環境情報、給餌装置５の作動状況、データ入力を補助するための入力フォーム、記憶部６ｅに記憶された各種情報の内容等を表示する。なお、後記する記憶部７ｃの情報を表示部６ｆに表示させて、例えば、制御ユニットＸ１〜Ｘ１０が取得した各情報が表示できるようにしてもよい。
【００５０】
管理装置７は、入力部７ａと、受信部７ｂと、記憶部７ｃと、判定部７ｄと、送信部７ｅと、表示部７ｆと、を備えたコンピュータで構成されている。管理装置７は、本実施形態では陸上に設置されているが、一の洋上風力発電設備１等に設置されてもよい。管理装置７は、陸上からの遠隔操作により、各制御ユニットＸの給餌装置５を制御する機能を有する。
【００５１】
入力部７ａは、キーボードやマウス等を含んで構成されている。入力部７ａを利用して入力された情報は、記憶部７ｃに記憶されるようになっている。ユーザーは、入力部７ａを用いて、各洋上風力発電設備１の位置情報（緯度、経度）等の各種基本情報を入力する。
【００５２】
受信部７ｂは、各制御ユニットＸ（Ｘ１〜Ｘ１０）の送信部６ａから送信されてきた魚介類情報及び自然環境情報等の各情報データを受信する機能を有する。魚介類情報及び自然環境情報等の各情報データは、記憶部７ｃに送られるようになっている。
【００５３】
記憶部７ｃは、例えば、ＨＤＤ（Hard Disk Drive）、ＲＡＭ（Random Access Memory）、ＲＯＭ（Read Only Memory）等を含んで構成されている。記憶部７ｃは、入力部７ａを利用して入力された情報、受信部７ｂが受信した魚介類情報及び自然環境情報等、判定部７ｄが各処理を実行するための各種プログラムやデータ等を格納する機能を有する。受信部７ｂが受信した魚介類情報及び自然環境情報等は、各制御ユニットＸ（Ｘ１〜Ｘ１０）と関連付けて記憶部７ｃに記憶される。また、記憶部７ｃには、各洋上風力発電設備１の位置情報等の基本情報も各洋上風力発電設備１と関連付けて記憶される。
【００５４】
判定部７ｄは、取得された魚介類情報及び自然環境情報等と各種プログラムとに基づいて、どの給餌装置５に給餌させるかを判定する部位である。判定部７ｄは、各洋上風力発電設備１の位置情報、自然環境情報、魚介類情報等を記憶部７ｃから読み出すとともに各種プログラムに基づいて、各制御ユニットＸの給餌装置５について給餌するか否かを判定する。判定部７ｄは、送信部７ｅを介して判定結果（給餌開始信号及び給餌時間信号）を各制御ユニットＸに送信する。ここでは、潮流計から得られた潮流情報及び魚介類の位置情報に基づいて、給餌させる給餌装置５の決定プロセスを例示して説明する。
【００５５】
例えば、図１に示すように、魚介類の位置情報より内側領域２に魚群Ｚが存在するデータを取得するとともに、潮流計より得られた潮流データより潮が制御ユニットＸ１方向から制御ユニットＸ６方向に速く流れているデータを取得した場合を想定する（点線矢印参照）。
【００５６】
この場合、魚群Ｚに対して潮流の下流側に位置する制御ユニットＸ５〜Ｘ７に係る給餌装置５から給餌すると、餌は潮の流れに乗って魚群Ｚ及び内側領域２から離間する方向に流れてしまう。したがって、この場合は、判定部７ｄは、魚群Ｚに対して潮流の上流側に位置する制御ユニットＸ１，Ｘ２，Ｘ１０に係る給餌装置５から給餌するように決定する。これにより、魚群Ｚを内側領域２に留まらせるとともに、餌も無駄に流れずに効率よく給餌することができる。
【００５７】
判定部７ｄの判定は、他の自然環境情報（水温、風向、波向、酸素濃度等）に基づいて行ってもよいし、他の魚介類情報（魚介類の種類、個体数、魚介類の活性等）の各種情報に基づいて判定してもよいし、これらの情報を複数組み合わせて判定してもよい。
【００５８】
例えば、内側領域２に魚介類が少ないというデータが得られた場合、判定部７ｄは、全ての制御ユニットＸの給餌装置５に対して所定時間（例えば長時間）給餌を休止することを決定するようにしてもよい。
一方、内側領域２に魚介類が多いというデータが得られた場合、判定部７ｄは、全ての又は何個か選択して制御ユニットＸの給餌装置５に対して所定時間（例えば短時間）給餌を行うことを決定するようにしてもよい。
【００５９】
また、本実施形態では洋上風力発電設備１に生け簀６０を備えているため、判定部７ｄは、各生け簀６０に対応するプログラムに基づいて、生け簀６０内に給餌させる給餌装置５の判定を行う。当該プログラムは、生け簀６０内の魚介類情報や自然環境情報に基づいて判定を行うようにすることが好ましい。生け簀６０に対しては、センターカラム１１に設けられた給餌装置５により給餌させるように構成することが好ましい。
【００６０】
送信部７ｅは、判定部７ｄから送られてきた判定結果を各制御ユニットＸの制御装置６の受信部６ｂに送信する機能を有する。
【００６１】
表示部７ｆは、ディスプレイ装置等を含んで構成されている。表示部７ｆは、各給餌装置５の作動状況、記憶部７ｃに記憶された各種情報の内容等を表示する。
【００６２】
本実施形態に係る洋上ウィンドファームＦは、基本的に以上のように構成されるものである。次に、その作用効果について説明する。
【００６３】
本実施形態によれば、図１に示すように、複数の洋上風力発電設備１を平面視で円環状に配置するため、従来の千鳥状に配置する場合に比べ、洋上ウィンドファームＦの内側領域２を広く確保することが可能となる。これにより、複数の洋上風力発電設備１で包囲された内側領域２を漁場として、底引き網漁や巻き網漁等の漁網の展開、養殖生産施設における魚介類の養殖等の漁業を行うことができるため、洋上風力発電と漁業とが協調できる。また、洋上風力発電設備１によって海に影ができたり、浮体本体１０や係留索３１等に藻類が付着したりするため、洋上風力発電設備１の周囲や内側領域２に魚介類が住みつきやすくなる。
【００６４】
また、洋上ウィンドファームＦは、図６に示すように、内側領域２及び生け簀６０内における魚介類を監視する魚介類監視装置３を備えるため、内側領域２及び生け簀６０内における魚介類の存在、魚介類の位置、魚介類の活性状態、魚介類の種類、魚介類の個体数、魚体寸法等の魚介類情報を把握することができる。
【００６５】
また、洋上ウィンドファームＦは、図６に示すように、内側領域２及び生け簀６０内における海中又は海上の自然環境情報を取得する自然環境情報取得手段４を備えるため、内側領域２及び生け簀６０内における海中又は海上の自然環境情報を把握することができる。これにより、例えば、内側領域２及び生け簀６０内を養殖場として使用する場合には、内側領域２及び生け簀６０内の環境に適した魚介類を選定することができる。
【００６６】
また、内側領域２及び生け簀６０内における魚介類情報及び自然環境情報は、陸上に設置された管理装置７に送信されるため、魚介類の監視や環境の把握を陸上で行うことができる。
【００６７】
また、洋上ウィンドファームＦは、図２及び図６に示すように、洋上風力発電設備１に設けられ魚介類に給餌する給餌装置５を備えるため、内側領域２に魚介類を集めることができる。また、本実施形態では隣り合う洋上風力発電設備１が十分に離間しているため、内側領域２の漁船の出入りも容易に行うことができる。また、生け簀６０内で魚介類の養殖を簡易に行うことができる。
【００６８】
また、例えば、本実施形態の管理装置７は、魚介類監視装置３により取得した魚介類の位置情報と、潮流計により取得した潮流情報に基づいて、魚介類に対して潮流の上流側に位置する洋上風力発電設備１の給餌装置５から給餌することを決定する。これにより、魚介類情報と自然環境情報とに基づきどの給餌装置５を使用すると効果的、効率的かを判断し、給餌の量を最小限にできる。
【００６９】
また、管理装置７は、陸上に設置されており遠隔操作により給餌装置５を制御するため、暴風時でも洋上ウィンドファームＦの内側領域２に給餌することができ、洋上ウィンドファームＦの内側領域２に魚介類を滞留できる。また、生け簀６０で魚介類の養殖を行う際、冬季日本海のように長期にわたり人的給餌が不可能な場合でも魚介類の死滅を防止できる。
【００７０】
また、図２に示すように、浮体本体１０や係留設備３０等を備える洋上風力発電設備１自体に網状部材５０を取り付けて生け簀６０を形成するため、生け簀６０専用の係留装置やフロート等が不要になる。これにより、簡易な構造で洋上風力発電を行いながら養殖漁業を行うことができる。
【００７１】
また、網状部材５０は、サイドカラム１２に対して着脱可能に構成されているため、洋上風力発電設備１の曳航時に網状部材５０を取り外して、曳航時の浮体１ａの抵抗を小さくすることが可能となる。これにより、洋上風力発電設備１を設置海域までスムーズに曳航することができる。また、サイドカラム１２から網状部材５０を取り外して、網状部材５０のメンテナンス作業を容易に行うことができる。
【００７２】
また、浮体本体１０の喫水を調整するバラスト機構２０を備えるため、暴風等の悪天候時には各バラストタンク２１内にバラスト水を所定量注水して浮体本体１０を沈めることにより、生け簀６０を海面下に沈めて、網状部材５０を保護することができる。一方、通常時には各バラストタンク２１内のバラスト水を所定量排水して浮体本体１０を浮かせることにより、生け簀６０を海面付近に浮かせることができる。
【００７３】
以上本発明の実施形態について説明したが、本発明の趣旨に反しない範囲で適宜設計変更が可能である。
実施形態では、洋上風力発電設備１を円環状に配置したが、本発明にこれに限定されるものではなく、海底状況、魚種や漁法等に応じて適宜変更すればよい。例えば、平面視で三角環状や四角環状等の多角環状、楕円環状、長円環状等に洋上風力発電設備１を配置してもよい。
実施形態では、複数の洋上風力発電設備１を同一円周上に等間隔で配置したが、同一円周上に配置しなくてもよいし、不等間隔で配置してもよい。すなわち、海底状況により海底係留材３２が適当な場所に置けない場合には、浮体１ａを規則正しい線上や等間隔に配置できないことも想定されるので、洋上風力発電設備１の配置は海底状況に合わせて適宜変更することができる。
実施形態では、一つの仮想円を成すように洋上風力発電設備１を配置したが、二つ以上の仮想円を成すように洋上風力発電設備１を配置してもよい。この場合には、仮想円の大きさを同等にしてもよいし、異なるようにしてもよい。
【００７４】
実施形態では、洋上風車１ｂとして水平軸風車を使用したが、垂直軸風車を使用してもよい。
洋上風力発電設備１の構成は、実施形態のものに限定されることなく、例えば図７に示す構成にしてもよい。図７に示す洋上風力発電設備１Ａは、センターカラム１１を備えない点及び一のサイドカラム１２上に洋上風車１ｂを設置した点が実施形態と相違する。図７に示す連結部材１３は、隣り合うサイドカラム１２，１２同士を相互に連結している。連結部材１３は、３つの上側連結部材１３ｄと、３つの下側連結部材１３ｅとを含んで構成されている。各部材１３ｄ，１３ｅは、隣り合うサイドカラム１２，１２同士の間に一本ずつ配置されている。上側連結部材１３ｄは、隣り合うサイドカラム１２，１２の上端外周面同士を水平に連結している。下側連結部材１３ｅは、隣り合うサイドカラム１２，１２の下端外周面同士（大径部１２ａ，１２ａ同士）を水平に連結している。このようにすると、底網部５１にセンターカラム１１を通すための貫通孔５１ａ（図２参照）を開ける必要がなくなる。本変形例においては、センターカラム１１を有しないので、生け簀６０内の魚介類に給餌する給餌装置５は、例えば、上側連結部材１３ｄや下側連結部材１３ｅ、もしくはサイドカラム１２の下端側内周面より生け簀６０内に延出させた取付部材１４の先端部等に設置される。なお、図７は、給餌装置５が取付部材１４を介して上側連結部材１３ｄより生け簀６０内に延出した位置に設置された例を示すが、給餌装置５の設置場所は生け簀６０内に給餌できる場所であれば特に限定されない。
また、実施形態では、浮体式の洋上風力発電設備１としてセミサブ型を例示したが、ＴＬＰ型やスパー型等の浮体式の洋上風力発電設備を使用してもよいし、着床式の洋上風力発電設備を使用してもよい。
【００７５】
実施形態では、魚介類監視装置３によって洋上ウィンドファームＦの内側領域２における魚介類を監視したが、洋上ウィンドファームＦの外側領域における魚介類を監視するようにしてもよい。魚群Ｚが外側領域に存在する場合、判定部７ｄは、全ての又は何個か選択して制御ユニットＸの給餌装置５に対して給餌を行うことを決定する。このとき、潮流データ等の自然環境情報に基づいて、内側領域２に餌が滞留するように給餌を行うことが好ましい。これにより、外側領域に存在する魚群Ｚを内側領域２に誘い込むことができる。
【００７６】
実施形態では、給餌によって魚介類が内側領域２から出ないように囲い込んだが、音や光等を使用して囲い込んでもよいし、餌の匂いや味を工夫して囲い込んでもよい。すなわち、魚介類の行動習性や感覚を利用して囲い込んでもよい。また、洋上風力発電設備１，１同士の間に網状部材を架設して物理的に囲い込んでもよい。また、魚介類の捕獲の際には、音、光、水中ロボット、船舶等を使用して魚網に向けて追い込んでもよい。また、目標魚種が内側領域２で育成されている間は、目標魚種の天敵が嫌う匂い、音、光等を使用して、内側領域２から天敵を追い出したり、内側領域２への天敵の侵入を防いだりしてもよい。天敵の位置情報等は、魚介類監視装置３によって取得する。匂いを使用する場合には、匂い発生手段を洋上風力発電設備１に設置する。音を使用する場合には、スピーカーやサイレン等の音発生手段を洋上風力発電設備１に設置する。光を使用する場合には、警告灯等の投光手段を洋上風力発電設備１に設置する。
【符号の説明】
【００７７】
Ｆ      洋上ウィンドファーム
１      洋上風力発電設備
２      内側領域
３      魚介類監視装置
４      自然環境情報取得手段
５      給餌装置
６      制御装置
７      管理装置
【図１】
2019104419.tif 000003
【図２】
2019104419.tif 000004
【図３】
2019104419.tif 000005
【図４】
2019104419.tif 000006
【図５】
2019104419.tif 000007
【図６】
2019104419.tif 000008
【図７】
2019104419.tif 000009
【図８】
2019104419.tif 000010